(57)【要約】【課題】複数種類の通貨について紙幣を計数可能な紙幣計数装置において、紙幣の計数結果とともに、どの種類の通貨が計数されたかを容易に分かるようにする。【解決手段】紙幣計数装置１は、紙幣の計数値を表示するための画面表示部８１，８２と、画面表示部８１，８２の表示内容を制御する画面制御部２３とを備える。画面制御部２３は、計数対象として設定された通貨種別を示す通貨識別情報ＣＩ１，ＣＩ２と、計数値ＶＬとを併せて、画面表示部８１，８２に表示可能なように構成されている。【選択図】図５
2016197320.tif 000002
【特許請求の範囲】
【請求項１】
複数種類の通貨について、紙幣を計数可能な紙幣計数装置であって、
紙幣の計数値を表示するための画面表示部と、
前記画面表示部の表示内容を制御する画面制御部とを備え、
前記画面制御部は、計数対象として設定された通貨種別を示す通貨識別情報と、前記計数値とを併せて、前記画面表示部に表示可能なように構成されている
ことを特徴とする紙幣計数装置。
【請求項２】
前記画面制御部は、
前記通貨識別情報および前記計数値の表示モードとして、少なくとも、第１モードと、前記通貨識別情報の表示態様が前記第１モードと異なっている第２モードとを有している
ことを特徴とする請求項１記載の紙幣計数装置。
【請求項３】
前記第２モードにおいて、前記通貨識別情報が、前記第１モードと比較してより強調されて表示される
ことを特徴とする請求項２記載の紙幣計数装置。
【請求項４】
前記通貨識別情報は、前記第２モードにおいて、前記第１モードよりも大きく表示される
ことを特徴とする請求項２記載の紙幣計数装置。
【請求項５】
前記通貨識別情報は、前記第２モードにおいて、当該通貨の種別を示す文字および色で表示される一方、前記第１モードにおいて、当該通貨の種別を表す色のみで表示される
ことを特徴とする請求項２記載の紙幣計数装置。
【請求項６】
前記画面制御部は、
当該紙幣計数装置が計数動作を行っている計数状態において、前記第１モードを用い、当該紙幣計数装置が計数動作を行っていない待機状態において、前記第２モードを用いる
ことを特徴とする請求項３〜５のうちいずれか１項記載の紙幣計数装置。
【請求項７】
前記画面制御部は、
前記通貨識別情報および前記計数値の表示モードとして、少なくとも、計数対象候補となる複数の通貨種別を表示し、かつ、計数対象として設定された通貨種別が他の通貨種別と比べて強調されて表示される表示モードを有している
ことを特徴とする請求項１記載の紙幣計数装置。
【発明の詳細な説明】
【技術分野】
【０００１】
ここに開示する技術は、紙幣計数装置に関する。
【背景技術】
【０００２】
特許文献１には、紙幣の識別及び計数を行う紙幣計数装置が記載されている。この装置は、卓上型である。この紙幣計数装置は、筐体の上部に設けられかつ、計数対象の紙幣が置かれる取込部と、筐体内に配設されかつ、紙幣の識別を行う識別部と、識別後の紙幣が集積される集積部と、を備えている。
【先行技術文献】
【特許文献】
【０００３】
【特許文献１】特開２０１３−２５０９０９号公報
【発明の概要】
【発明が解決しようとする課題】
【０００４】
ところで、紙幣計数装置は、例えばチップを使用した遊技が行われる遊技場等の施設において、客から手渡された紙幣の識別及び計数を行うために用いられる。客は、例えば紙幣をチップに両替する際に、遊技場の担当者に紙幣を手渡す。担当者は手渡された紙幣を紙幣計数装置にセットし、計数結果に従ってチップを客に渡す。このような用途の場合、紙幣計数装置は通常、複数種類の通貨について、紙幣を計数可能であることが求められる。この場合、担当者も客も、紙幣の計数結果とともに、どの種類の通貨が計数されたかが容易に分かることが好ましい。また、担当者は、計数を開始する前に、どの通貨を受け付ける状態になっているかが容易に分かることが好ましい。同様のことは、例えば、硬貨を計数する硬貨計数装置にもいえる。
【０００５】
ここに開示する技術はかかる点に鑑みてなされたものであり、その目的とするところは、複数種類の通貨について紙幣を計数可能な紙幣計数装置において、紙幣の計数結果とともに、どの種類の通貨が計数されたかを容易に分かるようにすることにある。
【課題を解決するための手段】
【０００６】
ここに開示する技術は、複数種類の通貨について紙幣を計数可能な紙幣計数装置に関する。この紙幣計数装置は、紙幣の計数値を表示するための画面表示部と、前記画面表示部の表示内容を制御する画面制御部とを備え、前記画面制御部は、計数対象として設定された通貨種別を示す通貨識別情報と、前記計数値とを併せて、前記画面表示部に表示可能なように構成されている。
【０００７】
この構成によると、画面制御部の制御によって、計数対象として設定された通貨種別を示す通貨識別情報と、紙幣の計数値とが、画面表示部に併せて表示される。これにより、紙幣計数装置を操作する担当者や紙幣計数装置を利用する客は、紙幣の計数結果とともに、どの種類の通貨が計数されたかを容易に認識することができる。
【０００８】
前記画面制御部は、前記通貨識別情報および前記計数値の表示モードとして、少なくとも、第１モードと、前記通貨識別情報の表示態様が前記第１モードと異なっている第２モードとを有している、としてもよい。
【０００９】
この構成によると、通貨識別情報および計数値の表示モードとして、通貨識別情報の表示態様が異なる複数の表示モードがあるので、例えば当該紙幣計数装置の動作状態に応じて、通貨識別情報の表示態様を適切に選択することができる。
【００１０】
そして、前記第２モードにおいて、前記通貨識別情報が、前記第１モードと比較してより強調されて表示される、としてもよい。
【００１１】
この構成によると、通貨識別情報をより容易に認識可能にした場合には、通貨識別情報が第１モードよりも強調された第２モードを選択すればよい。
【００１２】
また、前記通貨識別情報は、前記第２モードにおいて、前記第１モードよりも大きく表示される、としてもよい。
【００１３】
この構成によると、第２モードを用いることによって通貨識別情報がより大きく表示されるので、通貨識別情報がより容易に認識できる。
【００１４】
あるいは、前記通貨識別情報は、前記第２モードにおいて、当該通貨の種別を示す文字および色で表示される一方、前記第１モードにおいて、当該通貨の種別を表す色のみで表示される、としてもよい。
【００１５】
この構成によると、通貨識別情報が、第２モードでは当該通貨の種別を示す文字および色で表示される一方、第１モードでは当該通貨の種別を表す色のみで表示されるので、例えば、計数値をより容易に認識可能にする場合には、第１モードを選択すればよい。
【００１６】
また、前記画面制御部は、当該紙幣計数装置が計数動作を行っている計数状態において、前記第１モードを用い、当該紙幣計数装置が計数動作を行っていない待機状態において、前記第２モードを用いる、としてもよい。
【００１７】
この構成によると、紙幣計数装置が計数状態のときは、通貨識別情報をあまり目立たせずに表示し、紙幣計数装置が待機状態のときは、通貨識別情報をより目立たせて表示する、という制御が実現される。これにより、待機状態において、どの種類の通貨を計数できる状態かが容易に認識できるので、誤操作を防ぐことができる。
【００１８】
また、前記画面制御部は、前記通貨識別情報および前記計数値の表示モードとして、少なくとも、計数対象候補となる複数の通貨種別を表示し、かつ、計数対象として設定された通貨種別が他の通貨種別と比べて強調されて表示される表示モードを有している、としてもよい。
【００１９】
この構成によると、計数対象として設定された通貨種別が他の通貨種別と比べて強調されて表示される表示モードを用いることによって、計数対象の通貨種別を容易に認識可能にすることができる。
【発明の効果】
【００２０】
前記の紙幣計数装置によると、担当者や客等が、紙幣の計数結果とともに、どの種類の通貨が計数されたかを容易に認識することができる。
【図面の簡単な説明】
【００２１】
【図１】紙幣計数装置を前側から見た外観を示す斜視図
【図２】紙幣計数装置を後側から見た外観を示す斜視図
【図３】紙幣計数装置の平面図
【図４】紙幣計数装置の構成を示すブロック図
【図５】（ａ），（ｂ）は通貨識別情報及び紙幣の計数値の両方を示す表示画面の一例
【図６】（ａ）〜（ｄ）は紙幣計数装置の動作状態に伴う画面表示の変化の一例
【図７】（ａ），（ｂ）は通貨識別情報及び紙幣の計数値の両方を示す表示画面の他の例
【図８】（ａ），（ｂ）は通貨識別情報及び紙幣の計数値の両方を示す表示画面の他の例
【発明を実施するための形態】
【００２２】
以下、紙幣計数装置の実施形態を、図面を参照しながら説明する。尚、以下の説明は、紙幣計数装置の一例を示すものである。
【００２３】
＜装置の全体構成＞
図１及び図２は、紙幣計数装置１（以下、単に装置１と呼ぶ）の外観を示している。装置１は、紙幣の識別と計数とを行う。装置１は、少なくとも紙幣の真偽及び金種を識別する。装置１は、複数の通貨の識別及び計数が可能である。計数対象の通貨は、予め設定される。計数対象の通貨は、変更が可能である。装置１は、例えば遊技場等の施設において、客から手渡された紙幣の識別及び計数を行うために用いられる。客は、例えば、紙幣を、遊技に使用するチップに両替する際に、遊技場の担当者に紙幣を手渡す。
【００２４】
装置１は、テーブル、カウンター、机、及び、台等の上に置かれて使用される卓上型である。装置１は小型であり、テーブル等の上に置いても場所をとらない。尚、以下においては、説明の便宜上、図１における紙面右手前を装置１の前、紙面左奥を装置１の後ろ、紙面右奥を装置１の右、紙面左手前を装置１の左と呼ぶ。担当者は、通常は、装置１の前面を自分の方に向けて装置１を使用する。
【００２５】
装置１は、上部１１と下部１２との、上下方向に重なる２つの部位から構成される。装置１の上部１１と下部１２とは、仕切板１３によって隔てられる。
【００２６】
装置１の上部１１は、計数対象の紙幣を搬送しながら、識別と計数とを行うよう構成されている。装置１は、計数対象の紙幣がセットされるよう構成されたセット部２と、紙幣の識別及び計数を行うよう構成された識別部３と、識別を行った紙幣を保持するよう構成された保持部４と、セット部２から繰り出された紙幣を、一枚ずつ識別部３を通過させて保持部４にまで搬送するよう構成された搬送部５と、を備えている。
【００２７】
装置１の下部は、装置１を動作させるために必要な各種の機器を収容するよう構成されている。具体的に、図１、２では図示を省略するが、装置１の下部は、各部２、３、４及び５の動作を制御する制御部６（図４参照）を収容する。装置１の下部はまた、各部２、３、４及び５において行う各種動作の駆動源であるモータや、駆動力を伝達する歯車等を収容する。さらに、装置１の下部には、コネクタ７（図４参照）が設けられている。コネクタ７には、装置１に電力を供給する電源コードや、装置１を外部装置に対して接続する、又は、外部装置を装置１に接続するためのケーブルが接続される。
【００２８】
装置１はまた、ここに開示する例では、第１ディスプレイ８１と、第２ディスプレイ８２との２つのディスプレイを備えている。第１ディスプレイ８１は、主に担当者が見るためのディスプレイである。第２ディスプレイ８２は、主に客が見るためのディスプレイである。第１ディスプレイ８１及び第２ディスプレイ８２の表示内容は、例えば遊技場等の施設の天井部等に取り付けた監視カメラからも確認することが可能である。
【００２９】
セット部２は、図１及び図３に示すように、装置１の前部右側に配置される。仕切板１３の上面は、セット部２において紙幣Ｂをセットするセット面として機能する。セット部２は、図１に２点鎖線で示すように、紙幣Ｂの長手の縁を下にして、仕切板１３の上面に立てた状態に、紙幣Ｂをセットするように構成されている。セット部２は、装置１の上方及び前方に開放されている。セット部２に紙幣Ｂをセットしたときに、紙幣Ｂの上部及び搬送方向後部（後述するように、紙幣Ｂの搬送方向の進み側を紙幣Ｂの先、その逆側を紙幣Ｂの後としたときの後部）はそれぞれ、装置１の上方及び前方に飛び出す。担当者及び客は、セット部２にセットした紙幣Ｂの、少なくとも一部を見ることができる。
【００３０】
セット部２は、複数枚の紙幣Ｂを、水平方向に並べた状態で一度にセットすることが可能に構成されている。大きさの異なる紙幣Ｂが混ざり合っていてもよい。セット部２は、紙幣Ｂの繰り出し機構を有している。繰り出し機構は、セット部２にセットされた紙幣Ｂを一枚ずつ繰り出す。
【００３１】
識別部３は、装置１の前後方向中央部の右側に配置される。識別部３とセット部２とは、装置１の前後方向に隣り合っている。識別部３は、紙幣Ｂが進入する入口部３４１及び紙幣Ｂが退出する出口部３４２を有している。セット部２から繰り出された紙幣は、識別部３を通過する。識別部３は、紙幣Ｂに関する情報を取得するセンサを有している。識別部３は、紙幣Ｂが通過をする際にセンサが取得した情報に基づいて、当該紙幣Ｂが受け入れ可能な正常紙幣であるか、受け入れ不可能なリジェクト紙幣であるかを判定する。識別部３はまた、正常紙幣の計数を行う。
【００３２】
保持部４は、装置１の前部左側に配置される。保持部４とセット部２とは、装置１の左右方向に隣り合っている。仕切板１３の上面は、保持部４において紙幣Ｂを保持する保持面として機能する。保持部４は、紙幣Ｂの長手の縁を下にして、仕切板１３の上面に立てた状態で紙幣Ｂを保持する。保持部４は、複数枚の紙幣Ｂを、水平方向に並べた状態で、一度に保持することができるよう構成されている。保持部４は、装置１の上方、前方及び左側方に開放されている。図１に２点鎖線で示すように、保持部４に保持されている紙幣Ｂの上部は、保持部４から上方に飛び出す。担当者及び客は、保持部４に保持されている紙幣Ｂを見ることができる。
【００３３】
搬送部５は、セット部２から保持部４に至るように設けられる搬送路を有している。図３に示すように、搬送路は、第１搬送路５１、第２搬送路５２、及び第３搬送路５３から構成されている。搬送路は全体として、平面視でＵ字状をなすように配設されている。
【００３４】
搬送部５は、仕切板１３の上面に紙幣Ｂを立てた状態で、一枚ずつ長手搬送する。各搬送路５１、５２、５３は、水平方向に所定の間隔を空けて配設されるガイド５５、５６、５７によって構成されている。ガイド５５、５６、５７は、立てた状態で搬送される紙幣Ｂの表面及び裏面に相対する。ガイド５５、５６、５７の高さは、紙幣Ｂの高さ（つまり、短手長さ）よりも低い。ガイドとガイドとの間には、上向きに開口する開口部５０が設けられる。図１に２点鎖線で示すように、搬送中の紙幣Ｂの上部は、この開口部５０から上方に飛び出す。担当者及び客は、搬送中の紙幣Ｂを見ることができる。
【００３５】
第１搬送路５１と第２搬送路５２との接続部分には、リジェクト口５４が接続されている。リジェクト口５４は、識別部３によって、リジェクト紙幣と判定された紙幣Ｂを払い出す口である。リジェクト口５４は、上方に開放していると共に、図２に示すように、装置１の後部の右側面に開口している。図２に２点鎖線で示すように、リジェクト口５４に払い出されたリジェクト紙幣Ｂの一部は、リジェクト口５４から装置１の右側方に飛び出すと共に、リジェクト紙幣Ｂの上部は、第２搬送路５２及びリジェクト口５４から上方に飛び出す。担当者及び客は、リジェクト紙幣Ｂを見ることができる。
【００３６】
図４は、装置１の動作に関係するブロック図を示している。セット部２、識別部３、保持部４及び搬送部５は、信号の送受が可能となるよう制御部６に電気的に接続されている。
【００３７】
また、第１ディスプレイ８１及び第２ディスプレイ８２も、制御部６に、電気的に接続されている。第１ディスプレイ８１は、タッチパネル式のディスプレイによって構成されている。担当者は、第１ディスプレイ８１において、各種の操作を行うことが可能である。第２ディスプレイ８２は、タッチパネル式のディスプレイではなく、表示のみを行う。第１ディスプレイ８１及び第２ディスプレイ８２には、少なくとも計数結果が表示される。
【００３８】
制御部６には、第１センサ６１、第２センサ６２、第３センサ６３、第４センサ６４及び第５センサ６５が接続される。第１〜第５センサ６１〜６５はそれぞれ、紙幣Ｂを検知すると共に、検知信号を制御部６に出力する。図３に示すように、第１センサ６１は、セット部２の近傍に配設されている。第１センサ６１は、セット部２に紙幣Ｂがセットされたことを検知する。第２センサ６２は、第２搬送路５２に配設されている。第２センサ６２が紙幣Ｂの通過を検知したときに、後述するように、正常紙幣とリジェクト紙幣との搬送の切り替えを行う。第３センサ６３は第３搬送路５３に配設されている。第３センサ６３は、紙幣Ｂが保持部４に払い出されたことを検知する。第４センサ６４は、リジェクト口５４の近傍に配設されている。第４センサ６４は、リジェクト口５４に払い出された紙幣Ｂが、リジェクト口５４から抜き取られたことを検知する。第５センサ６５は、保持部４に配設されている。第５センサ６５は、保持部４に保持されていた紙幣Ｂが取り除かれたことを検知する。
【００３９】
さらに、装置１は、担当者などのユーザによる操作入力が行われる操作入力部２１と、画面表示部（本実施形態では第１ディスプレイ８１および第２ディスプレイ８２）の表示内容を制御する画面制御部２３とを備えている。操作入力部２１は、本実施形態では例えば、担当者用の画面表示部である第１ディスプレイ８１に設けられたタッチパネルによって実現される。ただしこれに限られるものではなく、操作入力部２１は、装置１本体に設けられた操作パネルやスイッチ類等によって実現されてもよい。画面制御部２３は、本実施形態では、上述した制御部６の１つの機能として実現されており、例えば、マイクロコンピュータとプログラムの組合せによって実現される。ただしこれに限られるものではなく、制御部６とは独立したシステムＬＳＩ等によって実現されてもよい。
【００４０】
そして本実施形態では、画面制御部２３は、第１ディスプレイ８１および第２ディスプレイ８２の少なくともいずれか一方に、計数対象として設定された通貨種別を示す通貨識別情報と、紙幣の計数値とを併せて、表示可能なように構成されている。
【００４１】
次に、装置１の計数動作について説明する。担当者が、客から手渡された紙幣Ｂをセット部２にセットすると、第１センサ６１が紙幣Ｂを検知する。制御部６は、第１センサ６１の検知結果を受けて、セット部２から紙幣Ｂを一枚ずつ繰り出す。
【００４２】
セット部２から繰り出された紙幣Ｂは識別部３を通過する。識別部３は、センサによって紙幣Ｂに関する情報を取得すると共に、その情報に基づいて、各紙幣が受け入れ可能な正常紙幣であるか、受け入れ不可能なリジェクト紙幣であるかを判定する。例えば、紙幣Ｂが計数対象の通貨以外の通貨であるときには、リジェクト紙幣であると判定される。また、２枚以上の紙幣が重なって搬送されているときにも、リジェクト紙幣であると判定される。さらに、真偽不確定の紙幣も、リジェクト紙幣であると判定される。識別部３はまた、正常紙幣については、その金種を識別する。識別部３は、正常紙幣の計数も行う。
【００４３】
識別部３を通過した紙幣Ｂは、搬送部５によって搬送されることで、第１搬送路５１から第２搬送路５２へと至る。第２センサ６２が紙幣Ｂの通過を検知したときに、当該紙幣Ｂが正常紙幣であれば、その紙幣Ｂは、そのまま第３搬送路５３に搬送される。
【００４４】
第３搬送路５３に至った紙幣Ｂは、第３センサ６３を通過し、その後、保持部４に払い出される。保持部４は、払い出された紙幣Ｂを順次保持する。紙幣Ｂは、水平方向に並んで保持される。第３センサ６３の検知結果を受けて、制御部６は、セット部２から次の紙幣Ｂを繰り出す。制御部６は、計数動作の最中に、計数値をリアルタイムで、第１ディスプレイ８１及び第２ディスプレイに表示させる。
【００４５】
第２センサ６２が紙幣Ｂの通過を検知したときに、当該紙幣Ｂがリジェクト紙幣であれば、制御部６は、搬送部５を一時停止させる。その後、制御部６は、第２搬送路５２に位置している紙幣Ｂが逆向きに搬送されるように、搬送部５を動作させる。紙幣Ｂは、第２搬送路５２からリジェクト口５４の方に搬送されて、リジェクト口５４に払い出される。この状態で、装置１の動作は停止する。リジェクト口５４に払い出されたリジェクト紙幣Ｂは、担当者が手で取り除く。第４センサ６４が、リジェクト紙幣Ｂが取り除かれたことを検知すると、制御部６は、装置１の計数動作を再開する。
【００４６】
セット部２にセットされた紙幣Ｂが全て繰り出されることによって、計数対象の紙幣Ｂの計数が全て終了すれば、制御部６は、計数結果、つまり、総額を第１ディスプレイ８１及び第２ディスプレイ８２に表示させる。こうして、装置１の計数動作が完了する。計数の完了後に、保持部４に保持されている紙幣Ｂは、担当者が手で取り除く。第５センサ６５は、紙幣Ｂが取り除かれたことを検知する。
【００４７】
＜通貨識別情報及び計数値の表示モード＞
図５（ａ），（ｂ）は通貨識別情報及び紙幣の計数値の両方を示す表示画面の一例である。図５（ａ），（ｂ）の例では、通貨識別情報の一例として、通貨コードを画面に表示している。「ＨＫＤ」は香港ドルの通貨コードである。図５（ａ）では、画面中央に紙幣の計数値ＶＬが表示されており、画面の左上方に通貨識別情報ＣＩ１が小さく表示されている。一方、図５（ｂ）では、画面の左手に通貨識別情報ＣＩ２が大きく表示されている。本実施形態では、画面制御部２３は、通貨識別情報及び紙幣の計数値の表示モードとして、図５（ａ）のような画面を示す表示モード（第１モード）と、通貨識別情報の表示態様が第１モードと異なっており、図５（ｂ）のような画面を示す（第２モード）とを有している。すなわち、第２モードでは、通貨識別情報ＣＩ２が、第１モードと比較してより強調されて表示されている。
【００４８】
そして、画面制御部２３は、装置１の動作状態に応じて、通貨識別情報及び紙幣の計数値の表示モードを切り替えることができる。例えば、装置１が計数動作を行っている計数状態において、紙幣の計数値がより見やすくなるように、第１モード（図５（ａ））を用いる一方、装置１が計数動作を行っていない待機状態において、計数対象の通貨種別がより分かりやすいように、第２モード（図５（ｂ））を用いる。
【００４９】
図６は装置１の動作状態に伴う画面表示の変化の一例を示す図である。図６の画面は第１ディスプレイ８１に表示されることを想定している。なお、客用の表示画面である第２ディスプレイ８２にも同様の表示がなされるが、第２ディスプレイ８２にはタッチパネルが設けられていないので、タッチ用ボタンは表示されない。
【００５０】
まず、図６（ａ）は装置１が待機中のときの画面例である。画面制御部２３は第２モードを用いており、通貨識別情報が大きく表示されている。このとき、担当者が操作入力部２１（ここでは第１ディスプレイ８１のタッチパネル）を介して通貨種別を変更すると、通貨識別情報の内容が変化する。「ＭＯＰ」はマカオパタカの通貨コードである。担当者が客から紙幣を受け取り、この紙幣を装置１のセット部２にセットし、計数を開始する操作を行う。すると、画面制御部２３は表示モードを第１モードに切り替える。これにより、図６（ｂ）のような画面に変化し、通貨識別情報の表示が小さくなり、紙幣の計数値がより目立つようになる。計数が完了すると図６（ｃ）のような画面になる。担当者がタッチパネルの「ＡＣＣＥＰＴ」ボタンを押下すると、計数値の確定処理が行われ、確定処理が終了した後、画面制御部２３は表示モードを第２モードに切り替える。これにより、図６（ｄ）のような画面にもどる。
【００５１】
このように本実施形態によると、画面制御部２３の制御によって、計数対象として設定された通貨種別を示す通貨識別情報と、紙幣の計数値とが、第１および第２ディスプレイ８１，８２に併せて表示される。これにより、装置１を操作する担当者や装置１を利用する客は、紙幣の計数結果とともに、どの種類の通貨が計数されたかを容易に認識することができる。また、通貨識別情報および計数値の表示モードとして、通貨識別情報の表示態様が異なる２種類の表示モードがあるので、例えば紙幣計数装置１の動作状態に応じて、通貨識別情報の表示態様を適切に選択することができる。
【００５２】
なお、上の実施形態では、画面制御部２３は、通貨識別情報及び紙幣の計数値の両方を示す表示モードとして、２種類のモードを有するものとしたが、これに限られるものではなく、３種類以上の表示モードを有してもいい。あるいは、１種類のみの固定された表示モードを有していてもよい。
【００５３】
また、上の実施形態では、表示する通貨識別情報の例として通貨コードを用いて説明を行ったが、通貨識別情報は通貨コードに限られるものではなく、例えば、通貨の名称、通貨を表すイラストや画像などを用いてもかまわない。
【００５４】
また、上の実施形態では、装置１は第１および第２ディスプレイ８１，８２という２つの画面表示部を有しており、各画面表示部において、通貨識別情報及び紙幣の計数値の両方を表示するものとしたが、これに限られるものではない。画面表示部の個数は１個でもいいし、３個以上であってもよい。また、画面表示部が複数個ある場合、一部の画面表示部にのみ、通貨識別情報及び紙幣の計数値の両方を表示するようにしてもよい。
【００５５】
また、表示モードの切り替えを行うタイミングは、上で説明したものに限られるものではない。例えば、通貨識別情報を大きく表示する第２モードから第１モードに切り替えるタイミングとして、紙幣がセット部２に置かれたことをセンサで検知したタイミング、最初の紙幣が識別部３を通過したタイミング、最初の紙幣が保持部４に出たタイミングなどを用いてもよい。また、通貨識別情報を強調して表示するモードを、装置１が担当者を例えばＩＤカードの読み取り等によって認証したときや、設定変更を行うときなどに用いてもよい。
【００５６】
また、上の実施形態では、複数の表示モード間で、通貨識別情報の表示サイズを変えるものとしたが、通貨識別情報の表示態様を変える手法は、これに限られるものではない。例えば、通貨識別情報に付す色や模様等を変えてもよいし、表示する輝度等を変えてもかまわない。あるいは、通貨識別情報を、第１モードでは点滅表示し、第２モードでは点滅なしで表示するようにしてもよい。
【００５７】
−他の表示モードの例−
図７（ａ），（ｂ）は通貨識別情報及び紙幣の計数値の両方を示す表示画面の他の例である。図７（ａ）では、通貨識別情報ＣＩ３として、通貨のイメージカラーすなわち通貨の種別を表す色（例えば赤色）を表示している。なお、赤色はあくまでも例示であり、他の色例えば青色等を用いてもかまわない。一方、図７（ｂ）では、通貨識別情報ＣＩ４として、通貨コードとイメージカラーとを併せて表示している。すなわち、画面制御部２３は、通貨識別情報及び紙幣の計数値の表示モードとして、図７（ａ）のように通貨種別を色のみで表示する表示モード（第１モード）と、図７（ｂ）のように通貨種別を文字および色で表示する表示モード（第２モード）とを有していてもよい。すなわち、第２モードでは、通貨識別情報ＣＩ４が、第１モードと比較してより強調されて表示されている。そして、画面制御部２３は、例えば、紙幣計数装置１が計数動作を行っている計数状態において、紙幣の計数値がより見やすくなるように、第１モード（図７（ａ））を用いる一方、紙幣計数装置１が計数動作を行っていない待機状態において、計数対象の通貨種別がより分かりやすいように、第２モード（図７（ｂ））を用いるようにすればよい。
【００５８】
図８（ａ），（ｂ）は通貨識別情報及び紙幣の計数値の両方を示す表示画面の他の例である。図８（ａ）では、通貨識別情報ＣＩ５として、紙幣計数装置１が計数の対象としている複数の通貨種別（図では「ＨＫＤ」香港ドルと「ＭＯＰ」マカオパタカ）が表示されている。一方、図８（ｂ）では、通貨識別情報ＣＩ６として、計数対象候補となる複数の通貨種別が表示され、かつ、計数対象として設定された通貨種別（ここでは「ＨＫＤ」香港ドル）が他の通貨種別と比べて強調して表示されている。図８（ｂ）の例では、「ＨＫＤ」がハイライト表示されている一方で、「ＭＯＰ」の表示輝度が低下している。すなわち、画面制御部２３は、通貨識別情報及び紙幣の計数値の表示モードとして、図８（ｂ）のように、計数対象として設定された通貨種別を他の通貨種別と比べて強調表示する表示モードを有していてもよい。例えば、装置１が通貨種別の認識機能を備えている場合には、セットされた紙幣を計数する際に、画面制御部２３は、図８（ｂ）に示すように、装置１が認識した通貨種別を強調表示するようにしてもよい。
【００５９】
また、本実施形態に係る装置１は、例えばチップを用いた遊技を行う遊技場に設置された場合、紙幣の計数値のデータを遊技場に設けられたモニターに表示させるように構成することも可能である。例えば、装置１を遊技場に構築された情報システムと有線または無線で接続し、装置１によって計数された計数値のデータを当該情報システムに送信可能にする。送信された計数値は、当該情報システムにネットワークを介して接続されたモニターに表示される。これにより、遊技場の客は、紙幣の計数値を遊技場のモニターを介して見ることができる。この場合、装置１に設けられた客用の画面表示部である第２ディスプレイ８２を省いてもかまわない。
【００６０】
なお、以上の説明は紙幣計数装置を例にとって行ったが、上述したような通貨識別情報及び計数値の表示については、例えば、硬貨を計数する硬貨計数装置にも適用してもよい。あるいは、紙幣および硬貨の両方を計数する装置にも適用してもよい。すなわち、本開示の内容は、複数種類の通貨について、貨幣を計数可能な貨幣計数装置に適用することが可能である。
【符号の説明】
【００６１】
１  紙幣計数装置
２３  画面制御部
８１  第１ディスプレイ（画面表示部）
８２  第２ディスプレイ（画面表示部）
ＣＩ１〜ＣＩ６  通貨識別情報
ＶＬ  計数値
【図１】
2016197320.tif 000003
【図２】
2016197320.tif 000004
【図３】
2016197320.tif 000005
【図４】
2016197320.tif 000006
【図５】
2016197320.tif 000007
【図６】
2016197320.tif 000008
【図７】
2016197320.tif 000009
【図８】
2016197320.tif 000010